(57)【特許請求の範囲】
【請求項１】
農地の作物を株元で切断して収穫した後に、当該農地に残存する株を地中で切断するために、トラクタの後部の連結リンクに着脱可能に連結される残存株の回収装置であって、
前記連結リンクに着脱可能に連結されるマスト部、及び左右方向に沿って配設されたツールバーを備えた機体フレームと、
前記残存株の切断時に刃部の全体が水平に配置されて、前記ツールバーに垂直ビームを介して取付けられた複数枚の水平切断刃と、
農地の地表面に対する前記水平切断刃の地中侵入深さを定めるために、前記機体フレームに取付けられたゲージホイールと、
を備え、
前記複数の水平切断刃は、全体が１枚の平板状であって、前端の刃部が低くなるように前後方向に傾斜した状態で、平面視において左右方向に対して傾斜方向が交互に逆となるように傾斜配置され、
しかも前記複数の水平切断刃は、前記機体フレームの全幅に亘って残存株を含む土壌を切断可能なように、左右方向に連続配置されていることを特徴とする農地における残存株の回収装置。
【請求項２】
複数の水平切断刃のうち、平面視において左右方向に対して同一の方向に傾斜した２つのグループの各水平切断刃は、前記トラクタの進行方向に沿って相前後して配置されていることを特徴とする請求項１に記載の農地における残存株の回収装置。
【請求項３】
前記ゲージホイールは、短筒状の複数のホイール単体を軸方向に組み付けることにより、全体が残存株の複数条に跨って連続又は断続した長い筒状に形成されて、隣接する各ホイール単体の間には、残存株の条間の土壌を垂直切断するための円板状のディスクコールタが挟まれて組み付けられた構成であることを特徴とする請求項１又は２に記載の農地における残存株の回収装置。
【請求項４】
前記ゲージホイールは、機体フレームの左右両端部に取付けられた左右一対で構成され、前記水平切断刃には、残存株の条間の土壌を垂直に切断するための垂直切断刃が固着されていることを特徴とする請求項１又は２に記載の農地における残存株の回収装置。
【請求項５】
請求項１に記載の残存株の回収装置を用いて、農地の残存株を地中の所定深さ部分で切断した後に、当該農地の表面に散乱状態となっている切断株や土壌が乾燥するのを待って、牧草調整用の反転・集草機で反転・集草した後に、拾上げ・梱包機を用いて回収する農地における残存株の回収方法であって、
農地の残存株を地中で切断する際に、残存株の条間の土壌に、乾燥促進のための溝を形成することを特徴とする農地における残存株の回収方法。
【発明の詳細な説明】
【技術分野】
【０００１】
本発明は、作物を株元で切断して収穫した後に、農地に残存する株を地中にて切断して回収する方法とその装置に関するものである。なお、本明細書において、「切株」とは、農地の残存株を地中で切断された株を指す。
【背景技術】
【０００２】
食料（食物）の安全・安心が社会的に求められているなかで、収穫された農産物（米、麦など）は検査され、有害化学物質を基準値以上含むものは、市場から排除すべく処分されている。一方、有害化学物質を含む農産物の生産の抑止には、農地そのものの浄化が必要であるが、その浄化方法の一つとして、汚染農地に植物を栽培して、この植物に有害化学物質を吸収させる方法が広く実施されている（特許文献１，２）。
【０００３】
しかし、上記した植物による農地の浄化方法を用いても、本来の作物は、株元で切断して収穫しており、地表面から１０ｃｍ程度の高さを有する株、及び根の部分が農地にそのまま残ってしまう。この残存株は、除去されずに土中に鋤き込まれて、次の作物を栽培しているのが実情であって、残存株を農地に鋤き込んでしまうと、残存株の分解時にＣＯ2 が発生して、国際的に問題視されている地球温暖化の一因となってしまう。
【特許文献１】特開２００５−７６９７０号公報
【特許文献２】特開２００７−１６３０７９号公報
【発明の開示】
【発明が解決しようとする課題】
【０００４】
本発明は、作物の収穫後に農地に残存する株を地中２〜３ｃｍの深さにおいて効率よく確実に切断して回収することにより、ＣＯ2 の発生を抑制すること、及び当該作物が有害化学物質を含んでいる場合には、当該有害化学物質の回収効率を高めることを課題としている。
【課題を解決するための手段】
【０００５】
上記課題を解決するための請求項１の発明は、農地の作物を株元で切断して収穫した後に、当該農地に残存する株を地中で切断するために、トラクタの後部の連結リンクに着脱可能に連結される残存株の回収装置であって、前記連結リンクに着脱可能に連結されるマスト部、及び左右方向に沿って配設されたツールバーを備えた機体フレームと、前記残存株の切断時に刃部の全体が水平に配置されて、前記ツールバーに垂直ビームを介して取付けられた複数枚の水平切断刃と、農地の地表面に対する前記水平切断刃の地中侵入深さを定めるために、前記機体フレームに取付けられたゲージホイールとを備え、前記複数の水平切断刃は、全体が１枚の平板状であって、前端の刃部が低くなるように前後方向に傾斜した状態で、平面視において左右方向に対して傾斜方向が交互に逆となるように傾斜配置され、しかも前記複数の水平切断刃は、前記機体フレームの全幅に亘って残存株を含む土壌を切断可能なように、左右方向に連続配置されていることを特徴としている。
【０００６】
請求項１の発明に係る残存株の回収装置を、トラクタの後部に連結リンクを介して連結し、複数枚の水平切断刃の先端刃部が農地の地表面から３ｃｍ程度の深さの位置に喰い込む（侵入する）ように、機体フレームに対するゲージホイールの高さを調整する。この状態で、トラクタが進行すると、回収装置は当該トラクタに牽引されて、水平切断刃は左右方向に傾斜配置されているので、先端刃部で掘削された土は僅かに側方に流されながら、複数枚の水平切断刃は、その先端刃部が地中に侵入した状態を保持して進行するので、農地の残存株は、地中において連続して切断される。機体フレームに対するゲージホイールの高さの調整により、地表面に対する水平切断刃の先端刃部の喰い込み深さ（侵入深さ）、即ち、残存株の地中における切断位置が調整される。また、トラクタに必要な動力は、残存株の回収装置を牽引するための牽引力のみであって回転動力が不要であるため、大きな動力を必要としないので、農家の所有する既存のトラクタの使用が可能である。また、前記複数の水平切断刃は、前記機体フレームの全幅に亘って残存株を含む土壌を切断可能なように、左右方向に連続配置されているために、水平切断刃により切断される残存株は、その周囲の土壌を含めて切断されるために、切断された残存株の乾燥に要する日数が短縮される。
【０００７】
請求項２の発明は、請求項１の発明において、複数の水平切断刃のうち、平面視において左右方向に対して同一の方向に傾斜した２つのグループの各水平切断刃は、前記トラクタの進行方向に沿って相前後して配置されていることを特徴としている。
【０００８】
請求項２の発明によれば、隣接する水平切断刃の干渉を回避できる結果、隣接する水平切断刃は、トラクタの進行方向に沿って異なる位置において、農地の残存株を切断できる。
【０００９】
また、請求項３の発明は、請求項１又は２の発明において、前記ゲージホイールは、短筒状をした複数のホイール単体を軸方向に組み付けることにより、全体が残存株の複数条に跨って連続又は断続した長い筒状に形成されて、隣接する各ホイール単体の間には、残存株の条間の土壌を垂直切断するための円板状のディスクコールタが挟まれて組み付けられた構成であることを特徴としている。
【００１０】
請求項３の発明によれば、ゲージホイールは、複数のホイール単体の間に円板状のディスクコールタが挟まれた構成であるので、残存株の条間の土壌がディスクコールタで切断された後に、残存株は地中において水平切断刃で切断される。このため、残存株の条間の土壌に機体フレームの進行方向（残存株の列に沿った方向）の溝が形成されるので、切株の乾燥が促進されて、切株と土壌との分離が容易になると共に、機体フレームの進行方向に沿った溝が両側に形成された後に、水平切断刃により残存株が切断されるので、当該株切り自体を確実に行える。
【００１１】
また、請求項４の発明は、請求項１又は２の発明において、前記ゲージホイールは、機体フレームの左右両端部に取付けられた左右一対で構成され、前記水平切断刃には、残存株の条間の土壌を垂直に切断するための垂直切断刃が固着されていることを特徴としている。
【００１２】
請求項４の発明によれば、水平切断刃に固着された垂直切断刃によって、残存株の条間の土壌で垂直に切断されて溝が形成されるので、水平切断刃により切断された切株の乾燥が促進される。また、必要不可欠な水平切断刃に垂直切断刃を固着するという簡単な構成により、残存株の条間の土壌に溝を形成できる。
【００１３】
また、請求項５の発明は、請求項１に記載の残存株の回収装置を用いて、農地の残存株を地中の所定深さ部分で切断した後に、当該農地の表面に散乱状態となっている切断株や土壌が乾燥するのを待って、牧草調整用の反転・集草機で反転・集草した後に、拾上げ・梱包機を用いて回収する農地における残存株の回収方法であって、農地の残存株を地中で切断する際に、残存株の条間の土壌に、乾燥促進のための溝を形成することを特徴としている。
【００１４】
請求項５の発明によれば、請求項１に記載の残存株の回収装置により、農地の残存株を地中において切断した後に、そのままの状態で所定日数だけ放置すると、切断された株や土壌は乾燥され、乾燥後において、牧草調整用の反転・集草機で反転・集草した後に、拾上げ・梱包機を用いて回収することにより、農地において作物を収穫した後に残存する株を切断して回収できる。この結果、次の作物を栽培するために土壌を耕起する際に、残存株が土中に鋤き込まれなくなって、残存株の発酵時におけるＣＯ2 の発生を抑制できると共に、当該作物が有害化学物質を含んでいる場合には、残存株が農地から排出される分だけ農地に含まれる当該有害化学物質の回収効率を高められる。また、残存株の条間の土壌に形成された溝の存在により、土壌の乾燥、ひいては残存株の乾燥が促進されて、農地において残存株を切断してから回収するまでの日数を短くできると共に、切株の乾燥の程度が高いので、農地からの残存株の回収も容易となる。
【発明の効果】
【００１５】
本発明によれば、トラクタの後部の連結リンクに残存株の回収装置を連結して、複数の水平切断刃の先端刃部が土中に３ｃｍ程度侵入した状態で牽引するのみで、農地に残存している残存株を地中において連続して切断できる。また、ディスクコールタを備えたゲージホイール、又は垂直切断刃が固着された水平切断刃の使用により、残存株を地中で切断できると共に、残存株の条間に溝を形成することができて、切株、及び土壌の乾燥を促進できて、切株と土壌との分離が容易になるので、切断された当該残存株を回収して農地から排出させる作業が容易となる。
【００１６】
このように、残存株が土中に鋤き込まれることなく、残存株の大部分を回収して農地から排出させられるので、残存株が土中に鋤き込まれた場合のＣＯ2 の発生を抑制できると共に、当該作物が有害化学物質を含んでいる場合には、残存株が農地から排出される分だけ農地に含まれる当該有害化学物質の回収効率を高められる。また、残存株の条間の土壌に形成された溝の存在により、土壌の乾燥、ひいては残存株の乾燥が促進されて、農地において残存株を切断してから回収するまでの日数を短くできると共に、切株の乾燥の程度が高いので、農地からの残存株の回収も容易となる。
【発明を実施するための最良の形態】
【００１７】
以下、複数の最良の実施例を挙げて、本発明を更に詳細に説明する。
【実施例１】
【００１８】
最初に、図１〜図６を参照して、本発明に係る残存株の回収装置Ａ1 について説明し、その後に、回収装置Ａ1 の作用について説明する。図１は、残存株の回収装置Ａ1 の斜視図であり、図２は、同じく平面図であり、図３は、同じく側面図であり、図４は、複数の水平切断刃Ｃ1 を主体に示す回収装置Ａ1 の斜視図であり、図５は、回収装置Ａ1 により残存株Ｓが切断される状態を示す平面図であり、図６は、同じく側面断面図である。
【００１９】
図１〜図３において、残存株の回収装置Ａ1 は、トラクタＴ（図３参照）の後部に設けられた一対の下部リンク４１と上部リンク４２とから成る３点ヒッチリンクＬに連結して使用される。機体フレームＦは、左右方向（横方向）に配置されたツールバー１と、トラクタの一対の下部リンク４１及び上部リンク４２に連結されるマスト部１０とで構成される。マスト部１０は、前記ツールバー１の左右両端部から前方に水平に突出された左右一対の水平マストアーム２と、前記ツールバー１の長手方向の中央部において斜上方に向けて設けられた２枚板状の傾斜マストアーム３とで構成され、一対の水平マストアーム２の先端部の外側には、それぞれ下部ヒッチピン４が外方に向けて水平に設けられていると共に、２枚の板体が所定間隔をおいて配置された傾斜マストアーム３の先端部には、上部ヒッチピン５が設けられている。一対の水平マストアーム２の下部ヒッチピン４には、トラクタの一対の下部リンク４１が連結されると共に、傾斜マストアーム３の上部ヒッチピン５には、トラクタの上部リンク４２が連結される。
【００２０】
機体フレームＦのツールバー１には、垂直配置されたビーム６を介して複数枚の水平切断刃Ｃ1 が取付けられている。複数枚の水平切断刃Ｃ1 は、左右方向に沿って一定間隔をおき、しかも交互に傾斜方向が異なった状態で左右方向に対して傾斜している。また、隣接する水平切断刃Ｃ1 の干渉を回避すると共に、各水平切断刃Ｃ1 が進行方向Ｐに沿って交互に異なる位置において残存株Ｓを切断可能なように、ツールバー１に対するビーム６の固定位置は、当該ビーム６の前後面において交互に逆にしてある。水平切断刃Ｃ1 は、刃部Ｃ1aが下底部となった台形板状をなしていて、ビーム６の下端部にボルト固定された取付け板７の傾斜先端面７ａに、前後方向に傾斜するように溶接等により固定されており、残存株Ｓの切断時には、先端の刃部Ｃ1aのみが土中に喰い込んで（侵入して）〔図６参照〕、残存株Ｓを土中で切断すると共に、先端の刃部Ｃ1aが低くなるように前後方向に傾斜していると共に、全体として角度（θ0)だけ左右方向に傾斜して配置された台形板状をした水平切断刃Ｃ1 は、先端の刃部Ｃ1aにより僅かに掘削された土を斜後方に向けて排土する作用を果す。なお、複数の水平切断刃Ｃ1 の左右方向に沿った配置間隔は、残存株の条間隔（イネの場合には、約３０ｃｍ）Ｑ〔図５参照〕のほぼ２倍に定めてあって、１枚の水平切断刃Ｃ1 により２条の残存株Ｓを切断するようにしてある。
【００２１】
また、一対の水平マストアーム２の外側面であって、下部ヒッチピン４よりも僅かに後方の部分には、垂直配置されるホイールアーム８の上端部を挿入して、当該ホイールアーム８を連結ピン９を介して固定するためのホルダー１１が設けられている。ホイールアーム８には、前記連結ピン９を挿入するための多数のピン挿入孔１２が上下方向に沿って一定ピッチで設けられている。左右の各ホイールアーム８の下端部には、農地の地表面Ｇに対する水平切断刃Ｃ1 の高さ方向の位置を定めるためのゲージホイールＢ1 が取付けられている。なお、図３において、４３，４４は、それぞれトラクタＴの後部に設けられて、左右一対の下部リンク４１を昇降させて、回収装置Ａ1 を地表面Ｇに対して昇降させるリフトアーム、リフトロッドを示し、Ｗは、トラクタＴの後輪を示す。
【００２２】
そして、本発明に係る残存株の回収装置Ａ1 により、農地に残存している残存株Ｓを切断するには、上記したようにして、回収装置Ａ1 のマスト部１０を構成する一対の水平マストアーム２及び傾斜マストアーム３の各先端の一対の下部ヒッチピン４及び１本の上部ヒッチピン５に、トラクタＴの一対の下部リンク４１及び１本の上部リンク４２を連結することにより、トラクタＴの後部に回収装置Ａ1 を連結する。そして、地表面Ｇからの各水平切断刃Ｃ1 の先端の刃部Ｃ1aの侵入深さＨ（図６参照）が３ｃｍ程度になるように、ホイールアーム８のピン挿入孔１２を選択して、機体フレームＦに対する左右一対のゲージホイールＢ1 の高さを調整する。
【００２３】
上記の状態で、トラクタＴに牽引されて回収装置Ａ1 が直進進行すると、図５及び図６に示されるように、地中に侵入している各水平切断刃Ｃ1 の先端の刃部Ｃ1aにより、地中において残存株Ｓが連続して切断され、各水平切断刃Ｃ1 の左右方向の傾斜配置に倣って、切株Ｓ’は、土壌Ｋと一緒になって僅かに斜後方に流されて、そのまま農地に散乱状態で放置される。また、回収装置Ａ1 の直進進行中においては、トラクタＴのリフトアーム４３の位置を不変にできて、当該回収装置Ａ1 が浮上することはないので、水平切断刃Ｃ1 の先端の刃部Ｃ1aの地中への侵入深さ（Ｈ）は、維持される。なお、各水平切断刃Ｃ1 は、交互に逆となるように左右方向に傾斜配置されているため、各水平切断刃Ｃ1 に作用する横方向の分力は、互いに相殺されるので、回収装置Ａ1 の直進進行を阻害しない。
【実施例２】
【００２４】
次に、図７及び図８を参照して、本発明に係る別の回収装置Ａ2 について説明する。図７は、回収装置Ａ2 の主要部の斜視図であり、図８（ａ）は、回収装置Ａ2 を構成する水平切断刃Ｃ1 ，Ｃ1'及び垂直切断刃Ｃ2 の平面配置図、同（ｂ）は、切株Ｓ’及び切断された土壌Ｋの横断面図である。回収装置Ａ2 は、前記回収装置Ａ1 において、各水平切断刃Ｃ1 ，Ｃ1'の上面に残存株Ｓの条間に溝Ｖを形成するための垂直切断刃Ｃ2 を固着した構成が前記回収装置Ａ1 と異なるのみであって、他の構成は、全て前記回収装置Ａ1 と同一である。水平切断刃Ｃ1 ，Ｃ1'は、地表面Ｇに対して後端縁が高くなるように角度（θ1)だけ傾斜して配置されており、垂直切断刃Ｃ2 は、刃部となる先端面が地表面Ｇに対して角度（θ2)だけ傾斜した状態で進行方向Ｐに沿って、即ち水平切断刃Ｃ1 ，Ｃ1'の先端の刃部Ｃ1a，Ｃ1a' に対して角度（θ0)だけ傾斜した方向に沿って全幅に亘って垂直に配置されている。１枚の水平切断刃Ｃ1 ，Ｃ1'は、２条の残存株Ｓを同時に切断するものであるのに対応して、１枚の水平切断刃Ｃ1 ，Ｃ1'には、２枚の垂直切断刃Ｃ2 が条間隔（Ｑ）をおいて固着されている。
【００２５】
このため、トラクタＴに牽引されて回収装置Ａ2 が直進進行すると、図８に示されるように、地中に所定深さ（Ｈ）だけ侵入している水平切断刃Ｃ1 ，Ｃ1'の先端の刃部Ｃ1aにより残存株Ｓが地中において水平に切断されるのと同時に、溝切り用の垂直切断刃Ｃ2 により残存株Ｓの条間の土壌Ｋに溝Ｖが形成される。このように、残存株Ｓの条間の土壌Ｋに溝Ｖが形成されることにより、切株Ｓ’と一緒になって分離された土壌Ｋの分離性が一層に高まると共に、溝Ｖから空気が入ることによって切株Ｓ’及び当該切株Ｓ’と一緒になっている土壌Ｋの乾燥が促進される。この結果、残存株Ｓを切断してから、切株Ｓ’を農地外に排出すべく処理するまでの期間を短くできる。
【実施例３】
【００２６】
次に、図９〜図１１を参照して、本発明に係る更に別の回収装置Ａ3 について説明する。図９は、回収装置Ａ3 の斜視図であり、図１０は、同じく平面図であり、図１１は、同じく側面図である。回収装置Ａ3 は、前記回収装置Ａ1 を構成していて、機体フレームＦに対する水平切断刃Ｃ1 の土中への侵入深さ（Ｈ）を調整するための左右一対のゲージホイールＢ1 を、作業幅と対応する全体幅を有する連続又は断続した筒状のゲージホイールＢ2 〜Ｂ5 に替えたものであって、他の構成は、全て前記回収装置Ａ1 と同一である。ゲージホイールＢ2 は、作業幅に対応する全体幅を有する連続筒状をなしていて、短円筒状をしたホイール単体２１の間に円板状をしたディスクコールタ２２をそれぞれ挟んで、全体が筒状となるように一体に連結された構成である。即ち、ゲージホイールＢ2 は、複数のホイール単体が一体に連結された作業幅と同一の筒状のホイール本体２３に複数のディスクコールタ２２が所定ピッチをおいて取付けられた構成である。ディスクコールタ２２は、残存株Ｓの条間の土壌Ｋに溝Ｖを形成するための部材であるため、隣接するディスクコールタ２２のピッチは、残存株Ｓの条間隔Ｑに対応している（と同一である）。また、土壌Ｋに対するディスクコールタ２２の侵入深さは、農地の土壌の性質によって定められ、土壌Ｋに対する水平切断刃Ｃ1 の侵入深さ（Ｈ）と同等か、或いは浅く設定されており、前記侵入深さ（Ｈ）よりも深くなることはない。
【００２７】
上記したようにゲージホイールＢ2 は、作業幅に対応する全体幅を有する連続した筒状であって、取付フレーム２４の両端のアーム部２４ａに回転可能に支持されていて、左右一対のホイールアーム８’を介して機体フレームＦの一対のホルダー１１に連結される。なお、機体フレームＦに対するゲージホイールＢ2 の取付高さの調整により、水平切断刃Ｃ1 の土中への侵入深さ（Ｈ）を調整する構成は、回収装置Ａ1 と同様である。
【００２８】
このため、図１１に示されるように、トラクタＴにより牽引されて回収装置Ａ3 が直進走行すると、作業幅の全幅に亘って配置されたゲージホイールＢ2 のホイール本体２３が地表面Ｇに接地することにより、複数の水平切断刃Ｃ1 の土中への侵入深さ（Ｈ）が定められると共に、地表面Ｇに対する接地抵抗によりゲージホイールＢ2 が回転する。この結果、ゲージホイールＢ2 のディスクコールタ２２により残存株Ｓの条間の土壌Ｋに溝Ｖが形成され、両側の土壌Ｋの部分にそれぞれ形成された溝Ｖにより残存株Ｓが挟まれた状態において、各水平切断刃Ｃ1 により当該残存株Ｓが地中において切断される。このため、水平切断刃Ｃ1 による残存株Ｓの切断が容易になると共に、切株Ｓ’と土壌Ｋとの分離も容易となって、切断後における切株Ｓ’の農地からの排出処理が容易となる。
【００２９】
また、ゲージホイールＢ2 は、作業幅の全幅に亘って配置されているため、地表面Ｇの凹部の存在により、水平切断刃Ｃ1 の土中への侵入深さ（Ｈ）の変化の影響が少なくなって、残存株Ｓの土中の切断位置の変化が少なくなる。よって、残存株Ｓの連続切断を安定して行える。
【００３０】
また、上記したゲージホイールＢ2 は、作業幅の全幅に亘って連続した筒状をなしているが、図１２（ａ）〜（ｃ）に示されるゲージホイールＢ3 〜Ｂ5 のように、作業幅の全幅に亘って配置されているが、断続して配置される構成のものであってもよい。ゲージホイールＢ3 は、２つのホイール単体２１が一体に連結されて、両端の中央の計３箇所にディスクコールタ２２が取付けられた構成であって、作業幅に対応して３基のゲージホイールＢ3 が独立して配置されている。ゲージホイールＢ4 は、ホイール単体２１の両端にそれぞれディスクコールタ２２が取付けられた構成であって、作業幅内に複数基のゲージホイールＢ4 が配置される。前記した各ゲージホイールＢ2 〜Ｂ4 は、いずれも両端支持構成のものであるが、ゲージホイールＢ5 は、片端支持構成であって、ホイール単体２１’の中央部に１つのディスクコールタ２２が取付けられた構成であって、作業幅内に一度に作業を行う条の数だけ配置される。なお、図１２において、２４’，２４''，２４''' は、いずれもゲージホイールＢ3 〜Ｂ5 を支持する取付フレームを示す。
【００３１】
そして、前記回収装置Ａ1 〜Ａ3 により地中で切断されて農地に散乱状態となって放置されている切株Ｓ’は、当該切株Ｓ’そのもの、及び当該切株Ｓ’に付着した土壌Ｋが乾燥するのを待って、農地外に排出・処理される。この切株Ｓ’を処理する順序が図１３（ａ）〜（ｃ）に示されている。図１３（ａ）は、回収装置Ａ1 〜Ａ3 により地中で切断されて農地に散乱状態となっている切株Ｓ’を示す。このように切株Ｓ’を散乱状態で所定日数だけ放置しておくと、切株Ｓ’及び当該切株Ｓ’に付着している土壌Ｋは乾燥されて、切株Ｓ’から土壌Ｋが分離され易くなる。
【００３２】
次に、図１３（ｂ）に示されるように、ロータリレーキ又はロータリテッダと称される「反転・集草機」を用いて、農地に散乱状態で放置されている切株Ｓ’を反転させながら一列状（すじ状）に寄せ集めて集草列（ウインドロー）を形成する。このようにして、切株Ｓ’が反転されながら一列状に寄せ集められる際に、乾燥状態で切株Ｓ’に付着している土壌Ｋの大部分は、振り落とされると共に、束状になっている切株Ｓ’は、ばらされることが多い。ロータリレーキ又はロータリテッダは、牧草を反転させて集草列を形成するのに多用されている。
【００３３】
最後に、ロールベーラと称される「拾上げ・梱包装置」により、一列状となっている切株Ｓ’を拾い上げて梱包室内に投入することにより、圧縮力を加えながら円筒状に成形して、図１３（ｃ）に示されるように、外周面に梱包テープ３１又は梱包紐で結束して、その後の取り扱い、及び保管を容易にする。ロールベーラは、主として稲藁を拾い集めて円筒状に成形して梱包する機械として多用されている。なお、円筒状に成形された切株Ｓ’は、残存株の回収目的が農地に含まれる有害化学物質の排出である場合には焼却処分され、残存株の回収目的が当該残存株の発酵によるＣＯ2 の発生の抑制である場合であって、有害化学物質を含んでいないか、又はその含有量が少ない場合には、堆肥として使用される。
【００３４】
なお、本発明に係る残存株の回収装置の切断対象の残存株の代表例としては稲株が挙げられるが、種々の作物の収穫後の残存株の切断に対して有効である。
【図面の簡単な説明】
【００３５】
【図１】残存株の回収装置Ａ1 の斜視図である。
【図２】同じく平面図である。
【図３】同じく側面図である。
【図４】複数の水平切断刃Ｃ1 を主体に示す回収装置Ａ1 の斜視図である。
【図５】回収装置Ａ1 により残存株Ｓが切断される状態を示す平面図である。
【図６】同じく側面断面図である。
【図７】回収装置Ａ2 の主要部の斜視図である。
【図８】（ａ）は、回収装置Ａ2 を構成する水平、及び垂直の各切断刃Ｃ1 ，Ｃ2 の平面配置図、（ｂ）は、切株Ｓ’及び切断された土壌Ｋの横断面図である。
【図９】回収装置Ａ3 の斜視図である。
【図１０】同じく平面図である。
【図１１】同じく側面図である。
【図１２】（ａ），（ｂ），（ｃ）は、それぞれゲージホイールＢ3 〜Ｂ5 の正面図である。
【図１３】（ａ），（ｂ），（ｃ）は、それぞれ農地に放置された切株Ｓ’、切株Ｓ’の集草列、及び切株Ｓ’をロールベール状に成形した成形物を示す。
【符号の説明】
【００３６】
Ａ1 〜Ａ3 ：残存株の回収装置
Ｂ1 〜Ｂ5 ：ゲージホイール
Ｃ1,Ｃ2 ：水平切断刃
Ｃ1a，Ｃ1a' ：水平切断刃の刃部
Ｃ2 ：垂直切断刃
Ｆ：機体フレーム
Ｈ：水平切断刃の地中侵入深さ
Ｋ：土壌
Ｌ：３点ヒッチリンク（連結リンク）
Ｑ：条間隔
Ｓ：残存株
Ｓ’：切株
Ｔ：トラクタ
Ｖ：溝
１：ツールバー
６：ビーム（垂直ビーム）
１０：マスト部
２１：ホイール単体
２２：ディスクコールタ
４１：下部リンク（３点ヒッチリンク）
４２：上部リンク（３点ヒッチリンク）
【図１】
0005179214.tif 000002
【図２】
0005179214.tif 000003
【図３】
0005179214.tif 000004
【図４】
0005179214.tif 000005
【図５】
0005179214.tif 000006
【図６】
0005179214.tif 000007
【図７】
0005179214.tif 000008
【図８】
0005179214.tif 000009
【図９】
0005179214.tif 000010
【図１０】
0005179214.tif 000011
【図１１】
0005179214.tif 000012
【図１２】
0005179214.tif 000013
【図１３】
0005179214.tif 000014